(57)【要約】【課題】カバーへの土の付着を防止することができる畝整形培土機を提供する。【解決手段】圃場を走行可能な走行装置１に取り付けられたロータ１１で耕耘した土Ｔを略Ｖ字状に取り付けたカバー１５に衝突させて畝Ｕに盛りつけるようにした畝整形培土機において、上記カバー１５の土衝突部位Ａ及びその周囲部位Ｂにわたってアメゴム製の板材２３を配置し、その周囲をカバー１５に対して固定し、中央部を浮かせた状態としたものである。【選択図】図３
2006288292.tif 000002
【特許請求の範囲】
【請求項１】
走行装置に取り付けられたロータで耕耘した土を略Ｖ字状に取り付けたカバーに衝突させて畝に盛りつけるようにした畝整形培土機において、上記カバーの土衝突部位及びその周囲部位にわたってアメゴム製の板材を配置し、その周囲をカバーに対して固定し、中央部を浮かせた状態としたことを特徴とする畝整形培土機。
【発明の詳細な説明】
【技術分野】
【０００１】
本発明は畝整形培土機に係り、特に、土を衝突させて畝に盛り付けるカバーへの土付着を防止したものに関する。
【背景技術】
【０００２】
従来の畝整形培土機は、圃場を走行可能な走行装置に取り付けられたロータで耕耘した土を略Ｖ字状に取り付けたカバーに衝突させて畝に盛り付けるようにしたものであり、カバーには金属製の板材を使用している。また、土入れ作業機に関するものであるが、耕耘した土を側方へ排出するための案内経路内に弾性シートを取り付けたものが提案されている。（例えば、特許文献１参照。）。
【０００３】
【特許文献１】特開昭６０−４９７０１号公報
【発明の開示】
【発明が解決しようとする課題】
【０００４】
カバーとして金属製の板材を付設した従来の畝整形培土機の場合には、耕耘して砕かれた土を衝突させる部位には土が付着しないが、その周囲の部位に土が付着してしまう。このため、耕耘した土をうまく畝に盛り付けることができず、畝の整形に支障を生じたり、作業機が重くなって移動が大変になるという問題がある。また、定期的に付着した土を剥がす作業を余儀なくされ、作業性が悪いという問題がある。
【０００５】
また、仮に土の衝突箇所に弾性シートを取り付けた場合でも、土の付着現象が起き、上記の問題を解消することはできないことが実験で確かめられている。本発明はこのような点に基づいてなされたものでその目的とするところは、カバーへの土の付着を防止することができる畝整形培土機を提供することにある。
【課題を解決するための手段】
【０００６】
上記目的を達成するべく本発明による畝整形培土機は、走行装置に取り付けられたロータで耕耘した土を略Ｖ字状に取り付けたカバーに衝突させて畝に盛り付けるようにした畝整形培土機において、上記カバーの土衝突部位及びその周囲部位にわたってアメゴム製の板材を配置し、その周囲をカバーに対して固定し、中央部を浮かせた状態としたことを特徴とするものである。
【０００７】
カバーの土衝突部位及びその周囲部位にわたってアメゴム製の板材を配置し、その周囲をカバーに対して固定した場合には、アメゴム製の板材の中央部が浮いた状態となっており、ここに衝突した土は、アメゴムの柔軟性や伸縮性に優れた特性と、衝突による凹陥変形及びその復元力により、付着することなく跳ね返され、畝側に飛ばされる。これにより、カバーへの土の付着を防止し、耕耘した土を確実に畝に盛り付けることができる。
【発明の効果】
【０００８】
本発明の畝整形培土機によると、耕耘して砕かれた土を衝突させる部位及びその周囲の部位に土が付着しない。よって、耕耘した土を確実に畝に盛り付けることができ、畝の整形に支障を生じたり、作業機が重くなって移動が大変になるという問題を解消することかできる。また、付着した土を剥がす作業を省略することができる。
【発明を実施するための最良の形態】
【０００９】
以下、図１乃至図６を参照して本発明の第１の実施の形態を説明する。本実施の形態の畝整形培土機は、走行装置としての耕耘機１の前部に支持体３を介して畝整形培土装置が取り付けられたものであり、エンジン等の回転駆動機構５により、走行駆動用の２つの回転車輪７が駆動され、且つ、回転駆動機構５に連結した回転軸９に取り付けたロータ１１を回転駆動される。
【００１０】
上記ロータ１１は、チエーンケースに設けた回転軸９の両側に耕耘爪１３を取り付けたものである。ロータ１１は上記回転駆動機構５により回転駆動されて土を斜め上方へ飛ばして溝を形成するとともに、側方の畝に土を盛り付ける。この両耕耘爪１３の両側部上方には耕耘して撥ね飛ばされた土を畝側に誘導する略Ｖ字状のカバー１５が取り付けられている。
【００１１】
また、上記ロータ１１の後方には土押体１７を具える。土押体１７は上記回転駆動機構５により開閉揺動運動されて、盛り付けた土を片面から叩き付け、畝の法面として押し固める。また、ロータ１１の前方には、支持体３から延長した支持棒１９に車輪２１が取り付けられている。このものは、走行する機体を安定支持するためのものであり、高さ調節機構が備えられている。
【００１２】
上記カバー１５は、図３に示すように、金属製のカバー本体の内面側にアメゴム製の板材２３を配置し、その周囲を枠材２５で保持し、ボルト・ナット２７によりカバー１５に支持して固定されている。アメゴム製の板材２３の中央部は、１箇所をボルト２９でカバー１５に固定されている。これは、カバー１５を支持するために機体から延長されたアームにカバー１５を取り付けるためのものであり、これを利用してアメゴム製の板材２３の中央部をカバー１５に固定するものである。この結果、アメゴム製の板材２３の中央部が土が衝突する部位Ａとなり、その周囲部位Ｂとともに、カバー１５から浮いた状態となるように形成されている。
【００１３】
上記アメゴムは、加硫の程度が低いか、又は、加硫されていない天然ゴム（生ゴム）で、一般にホースやバンド等に使用されている材料である。アメゴム製板材２３は、曲げ応力や耐候性はやや劣るが柔軟性や伸縮性に優れたものである。上記アメゴム製板材としては、一般に市販されている種々のアメゴム材を使用し得るが、例えば、株式会社十川ゴム製の天然アメゴムシートの品番Ｃ−３３０、硬度３８（タイプＡデュロメータにより計測「ＪＩＳ  Ｋ  ６２５３準拠」）のものを使用している。
【００１４】
以上の構成を基にその作用を説明する。先ず、上記畝整形培土機を走行させると、回転駆動機構５により回転駆動するロータ１１が耕耘した土Ｔを両側上方に飛ばして略Ｖ字状に取り付けたカバー１５に衝突させて畝Ｕに盛り付ける。この片側に盛り付けた土は、図２に示すように、土押体１７の開閉揺動運動により叩かれ、１つの畝Ｕの法面を押し固める。
【００１５】
上記ロータ１１が耕耘した土Ｔを両側上方に飛ばして略Ｖ字状に取り付けたカバー１５に衝突させた時に、土Ｔの一部が付着しようとする。しかし、図４〜図６に示すように、カバー１５の土衝突部位Ａ及びその周囲部位Ｂにわたってアメゴム製の板材２３を配置し、その周囲をカバー１５に対して枠材２５で固定したから、アメゴム製の板材２３の中央部は浮いた状態となっており、ここに衝突した土Ｔは、アメゴムの柔軟性や伸縮性に優れた特性により、アメゴム製の板材２３の衝突による凹陥変形とその復元力で付着することなく跳ね返され、畝側に飛ばされる。これにより、耕耘した土Ｔが畝Ｕに盛り付けられる。
【００１６】
次に、本発明に係る製品を他の構成のものと比較しながら土の付着度を試験した。上記カバーの土衝突部位Ａ及びその周囲部位Ｂにわたってアメゴム製の板材２３を配置し、その周囲をカバー１５に対して枠材２５で固定し、アメゴム製の板材２３の中央部は浮いた状態としたものを使用した場合、１００ｍ走行させて畝Ｕを整形する作業を行ったが、カバー１５への土の付着はまったく見られなかった。これに対して、比較例として、表面が平滑な合成ゴム製の板材を本発明と同様にカバーの内面に取り付けた場合は、１００ｍ走行させて畝Ｕを整形する作業後、カバーへの土の付着が見られた。
【００１７】
以上本実施の形態によると次のような効果を奏することができる。先ず、畝整形培土機によると、耕耘して砕かれた土を衝突させる部位及びその周囲の部位に土が付着しない。よって、耕耘した土を確実に畝に盛り付けることができ、畝の整形に支障を生じたり、作業機が重くなって移動が大変になるという問題を解消することかできる。また、付着した土を剥がす作業を省略することができる。
【００１８】
次に、図７乃至図９を参照して本考案の第２の実施の形態を説明する。この第２の実施の形態の場合には、上記第１の実施の形態におけるアメゴム製の板材の中央部をボルト・ナットでカバー側に固定した構成に代えて、アメゴム製の板材２３の周囲を枠材２５で固定し、中央部全体を浮かせたものである。アメゴム製の板材２３は周囲が弛んだ状態でカバー１５から浮き上がった状態で取り付けられている。その他の構成は前記第１の実施の形態の場合と同じであるので、同一部分には同一符合を付して示しその説明は省略する。
【００１９】
上記第２の実施の形態の場合には、実験の結果、耕耘して砕かれた土を衝突させる部位及びその周囲の部位への土の付着は見られなかった。よって、耕耘した土を確実に畝に盛り付けることができ、畝の整形に支障を生じたり、作業機が重くなって移動が大変になるという問題を解消することかできる。また、付着した土を剥がす作業を省略することができる。
【００２０】
尚、本発明は前記第１〜第２の実施の形態に限定されるものではない。第１の実施の形態の場合には、アメゴム製の板材の中央部を１箇所ボルト・ナットでカバー側に固定する構成としたが、複数箇所としても良い。また、カバーへアメゴム製の板材の周囲を固定する手段は、例えば接着によっても良い。
【００２１】
また、畝整形培土機の構成も、ロータとこれで耕耘した土をカバーにより側方の畝に盛り付ける構成を備えたものであれば良く、上記土押体を省略したものでも良いし、他の土押体、例えば、円錐状の土押体を回転させて畝の法面を押圧するものでも良い。
【図面の簡単な説明】
【００２２】
【図１】本発明の第１の実施の形態を示す図で畝整形培土機の斜視図である。
【図２】本発明の第１の実施の形態を示す図で畝整形培土機の正面図である。
【図３】本発明の第１の実施の形態を示す図でカバーへのアメゴム製板材の取付状態を示す斜視図である。
【図４】本発明の第１の実施の形態を示す図でカバーへのアメゴム製板材の取付状態を示す正面図である。
【図５】本発明の第１の実施の形態を示す図でカバーへのアメゴム製板材の取付状態を示す平面図である。
【図６】本発明の第１の実施の形態を示す図でアメゴム製板材への土の衝突時の状態を示す正面図である。
【図７】本発明の第２の実施の形態を示す図でカバーへのアメゴム製板材の取付状態を示す斜視図である。
【図８】本発明の第２の実施の形態を示す図でカバーへのアメゴム製板材の取付状態を示す正面図である。
【図９】本発明の第２の実施の形態を示す図でカバーへのアメゴム製板材の取付状態を示す平面図である。
【符号の説明】
【００２３】
１    走行装置
１１  ロータ
１５  カバー
２３  アメゴム製の板材
２５  枠材
２７  ボルト・ナット
Ｕ    畝
Ｔ    土
Ａ    カバーの土衝突部位
Ｂ    周囲部位
【図１】
2006288292.tif 000003
【図２】
2006288292.tif 000004
【図３】
2006288292.tif 000005
【図４】
2006288292.tif 000006
【図５】
2006288292.tif 000007
【図６】
2006288292.tif 000008
【図７】
2006288292.tif 000009
【図８】
2006288292.tif 000010
【図９】
2006288292.tif 000011
【手続補正書】
【提出日】平成17年5月23日(2005.5.23)
【手続補正１】
【補正対象書類名】図面
【補正対象項目名】全図
【補正方法】変更
【補正の内容】
【図１】
2006288292.tif 000012
【図２】
2006288292.tif 000013
【図３】
2006288292.tif 000014
【図４】
2006288292.tif 000015
【図５】
2006288292.tif 000016
【図６】
2006288292.tif 000017
【図７】
2006288292.tif 000018
【図８】
2006288292.tif 000019
【図９】
2006288292.tif 000020